(57)【特許請求の範囲】
【請求項１】
内容液（Ｎ）を収容する有底筒状の本体部（１）と、該本体部（１）の上端に起立連設された有頂筒状の頭部（６）と、前記本体部（１）と頭部（６）の境界部に形成され、前記本体部（１）と頭部（６）の相対変動により破断される弱化部（９）とを備え、内周面に、前記弱化部（９）よりも下位から下方に延びる少なくとも１本の縦突条状の縦リブ（８）を設け、該縦リブ（８）は、前記頭部（６）内に位置する残留内容液（ｎ）の下端液面（ｎ１）の周端縁が付着する内周面部分（７）を通過する構成であることを特徴とする合成樹脂製アンプル容器。
【請求項２】
縦リブ（８）を、アンプル容器成形用の有底筒状のプリフォーム（ｐ）の内周面に付形された縦突条状の縦リブ条（８ａ）で構成した請求項１に記載の合成樹脂製アンプル容器。
【請求項３】
縦リブ（８）を、間隔を開けて複数、望ましくは３〜４本設けた請求項１または２に記載の合成樹脂製アンプル容器。
【請求項４】
縦リブ（８）の下端を、本体部（１）の下端に位置させた請求項１〜３の何れか１項に記載の合成樹脂製アンプル容器。
【発明の詳細な説明】
【技術分野】
【０００１】
本発明は、薬剤や栄養剤を収納する合成樹脂製アンプル容器に関するものである。
【背景技術】
【０００２】
薬剤や栄養剤等を収納するアンプル容器として、例えば特許文献１に示されるような、有底円筒状の胴部の上端に、上方に縮径する肩部を連設し、この肩部から有頂筒状の小内径となった首部を起立設し、この首部と肩部の境界部分に切り込み部を形成し、胴部と肩部の組み合わせ部分を２軸延伸ブロー成形した樹脂製アンプル容器が知られている。このアンプル容器は、胴部側と首部側を相対的に変動させることにより、切り込み部により形成される弱化部で破断して容器が開封されるのであるが、予め切り込み部の形状および寸法を選択設定しておくことにより、切り込み部が形成する弱化部の破断を容易とし、これによる開封の際の衝撃による内容液の飛散が生じないようにしている。
【先行技術文献】
【特許文献】
【０００３】
【特許文献１】特開２０００−０３７４４２号公報
【発明の概要】
【発明が解決しようとする課題】
【０００４】
しかしながら、特許文献１に記載された従来技術にあっては、アンプル容器において、内容液の付着力および表面張力の作用により、首部内に残留内容液が位置したままであると云う従前からの問題が解消されておらず、このため開封時に、この首部の残留内容液が飛散もしくは流出する、と云う問題があった。
【０００５】
すなわち、図５に示すように、従前からのアンプル容器は、一般的に、本体部１に収納された内容液Ｎとは別に、首部相当部分である頭部６内に残留内容液ｎが、頭部６内の径Ｂと高さＣの相関関係によっては、その付着力と表面張力の作用により、自重に逆らって本体部１に流下することなく、頭部６内に位置する現象が発生する。この状態は、内周面部分７に付着している残留内容液ｎの下端液面ｎ１の周端縁に、残留内容液ｎの表面張力が均等に作用している状態で発揮される。
【０００６】
このように、残留内容液ｎが頭部６内に位置している状態で、弱化部９を破断すると、この衝撃により残留内容液ｎが飛散、もしくは容器外に流出するのである。また、頭部６内に残留内容液ｎが残留すると云うことは、この残留内容液ｎの分だけ、本体部１に収容されている内容液Ｎの量が目減りしていることになり、有効に使用される内容液Ｎの量が不足する、と云う問題を生じる。
【０００７】
そこで、本発明は、上記した従来技術における問題点を解消すべく創案されたもので、容器を正立状態では首部相当部分である頭部内に、残留内容液を位置させないことを技術的課題とし、もって開封時における内容液の飛散や流出を防止し、内容液の適正な量の収容を得る、ことを目的とするものである。
【課題を解決するための手段】
【０００８】
上記課題を解決する本発明の手段の主たる構成は、
内容液を収容する有底筒状の本体部と、この本体部の上端に起立連設された有頂筒状の頭部と、本体部と頭部の境界部に形成され、本体部と頭部の相対変動により破断される弱化部とを備えていること、
内周面に、弱化部よりも下位から下方に延びる少なくとも１本の縦突条状の縦リブを設けること、
この縦リブは、頭部内に位置する残留内容液の下端液面の周端縁が付着する内周面部分を通過する構成であること、
にある。
【０００９】
内容液の密封収容は、頭部の開放状態となっている上端開口部から所定量の内容液を注入し、次いで頭部の上端開口部を熱加工により密閉して達成される。このため、本体部と頭部は連通した状態のまま、内容液を収容して取扱われるので、この頭部内には本体部から内容液が自由に出入りすることになる。
【００１０】
頭部内に浸入した内容液は、アンプル容器が正立姿勢になった際に、その付着力と表面張力により内周面に付着し、重力に逆らって頭部内に残留内容液として留まろうとする。
【００１１】
この頭部内に浸入した残留内容液の付着に対して、この残留内容液の下端液面が位置する内周面部分には、少なくとの１本の縦リブが突出状に形成されて位置しているので、この縦リブにより内周面部分の平滑性は失われた状態となる。このため、縦リブにより、内周面部分に沿って残留内容液の表面張力を均等に作用させることが阻害されることになって、残留内容液は頭部内に留まる力を発揮することができない状態となる。それゆえ、頭部内の内容液は本体部に自然流下し、頭部内に残留内容液を生じさせることがない。
【００１２】
また、突条状の縦リブは、弱化部よりも下位に位置しているので、この縦リブが弱化部を機械的に補強することは全くない。
【００１３】
さらに、縦リブは、内周面だけに形成されるものであるので、この縦リブがアンプル容器の外観体裁に影響を与えることがない。
【００１４】
本発明の別の構成は、上記した主たる構成における縦リブを、アンプル容器成形用の有底筒状のプリフォームの内周面に付形された縦突条状の縦リブ条で構成したものである。
【００１５】
縦リブを、アンプル容器成形用の有底筒状のプリフォームの内周面に付形された縦リブ条で構成したものにあっては、プリフォームを通常の２軸延伸ブロー成形手段によりアンプル容器に成形することにより、プリフォームの縦リブ条をアンプル容器の縦リブに成形することができる。
【００１６】
また、本発明の別の構成は、上記した主たる構成の縦リブを、間隔を開けて複数、望ましくは３〜４本設けて構成したものである。
【００１７】
縦リブを、間隔を開けて複数、望ましくは３〜４本設けたものにあっては、残留内容液の下端液面が位置する内周面部分の平滑な周長が、縦リブにより分割されて、十分に長い周長の平滑部分が失われることになので、残留内容液の表面張力が内周面に沿って均等に作用することができなくなると共に、十分な付着力を発揮することが不可能となる。
【００１８】
また、本発明の別の構成は、上記した主たる構成の縦リブの下端を、本体部の下端に位置させたものである。
【００１９】
縦リブの下端を、本体部の下端に位置させたものにあっては、縦リブに成形される縦突条状の縦リブ条を、プリフォーム内周面の下端まで連続させた構成で形成することができるので、縦リブ条が射出成形されたプリフォームの離型に悪影響を与える恐れがない。
【発明の効果】
【００２０】
本発明は、上記した構成となっているので、以下に示す効果を奏する。
本発明におけるアンプル容器の主たる構成においては、頭部内に浸入した内容液は本体部内に必ず自然流下し、頭部内に残留内容液を生じさせることがないので、本体部から頭部を破断して開封した際に、頭部内の残留内容液が飛散したり流出して不都合を発生することが皆無となり、常に良好な開封操作を得ることができる。
【００２１】
また、突条状の縦リブは、弱化部を機械的に補強することは全くないので、弱化部の破断動作、すなわちアンプル容器の人手による開封操作を、無理なく良好に行うことができる。さらに、縦リブは、内周面だけに形成されるものであるので、この縦リブがアンプル容器の外観体裁に影響を与えることがなく、アンプル容器の外観形状の変更を要することがないので、従前からの２軸延伸ブロー金型をそのまま使用して成形することができ、これにより成形経費の増大を防止することができる。
【００２２】
縦リブを、アンプル容器成形用の有底筒状のプリフォームの内周面に付形された縦リブ条で構成したものにあっては、プリフォームの縦リブ条をアンプル容器の縦リブに成形することができるので、縦リブの成形が無理なく簡単に達成できる。
【００２３】
縦リブを、間隔を開けて複数、望ましくは３〜４本設けたものにあっては、残留内容液の表面張力が内周面に沿って均等に作用することができなくなると共に、十分な付着力を発揮することが不可能となるので、頭部内に位置した内容液の本体部側への自然流下を確実に得ることができ、頭部内の残留内容液の発生を確実に防止する。
【００２４】
縦リブの下端を、本体部の下端に位置させたものにあっては、縦リブ条が射出成形されたプリフォームの離型に悪影響を与える恐れがないので、アンプル容器に成形されるプリフォームの円滑で良好な射出成形を得ることができる。
【図面の簡単な説明】
【００２５】
【図１】本発明の一実施形態例を示す、全体縦断面図である。
【図２】図１図示実施形態例の、要部縦断拡大図である。
【図３】図２中、Ａ−Ａ線に沿って切断矢視した、一実施例の平面図である。
【図４】図２中、Ａ−Ａ線に沿って切断矢視した、他の実施例の平面図である。
【図５】従来技術の概要を説明するための、全体縦断面図である。
【発明を実施するための形態】
【００２６】
以下、本発明の実施形態例を、図１〜図４を参照しながら説明する。
なお、本実施形態例では、本体部１に対して頭部６が位置する側を上方とし、その反対側（図１における下側）を下方とする。
【００２７】
合成樹脂製アンプル容器は、有底筒状に２軸延伸ブロー成形され、内容液Ｎを収容する本体部１と、この本体部１の上端に起立連設された有頂筒状の頭部６と、本体部１と頭部６の境界部に形成され、本体部１と頭部６の折れ曲がりなどの相対変動により破断される弱化部９とを備え、頭部６内に残留内容液ｎが位置した場合に、この残留内容液ｎの下端液面ｎ１の周端縁が付着する内周面部分７に、残留内容液ｎの表面張力が内周面部分７に沿って均等に作用するのを阻止する縦突条状の縦リブ８を形成して構成されている。
【００２８】
本体部１（図１参照）は、有底筒状の胴部２と、この胴部２の上端に、上方に段状に縮径しながら起立連設された肩部３と、この肩部３の上端に小外径の首部４を介して外鍔構造の口鍔部５を連設して構成されており、頭部６は、この口鍔部５に、外側からの切り込みにより肉薄に成形された弱化部９を介して連設されている。本体部１の口鍔部５よりも下の部分は２軸延伸ブロー成形された部分であるのに対して、口鍔部５は、２軸延伸ブロー成形されない部分で、肉厚となっている。この口鍔部５は肉厚となっているので、後述する肉厚な頭部６との間に切り込みなどにより形成された弱化部９は、口鍔部５および頭部６により殆ど変形することなく支えられることなり、これにより安定して良好に破断されることになる。
【００２９】
頭部６（図１参照）は、口鍔部５と同様に２軸延伸ブロー成形されない部分で、当初から比較的肉厚に成形されているが、この頭部６から本体部１にかけての内周面は、首部４から肩部３上端にかけての部分で急に下方に拡径している。このため、頭部６から本体部１にかけての内周面域には、頭部６内に残留内容液ｎが位置した場合には、この残留内容液ｎの下端液面ｎ１（図５参照）が位置する内周面部分７が形成されることになる。
【００３０】
この内周面部分７には、周方向に沿って残留内容液ｎの表面張力が均等に作用するのを阻止する複数の縦突条状の縦リブ８が、間隔を開けて形成しており、図１ないし図３に示した第１の実施形態例では、この縦リブ８は、等中心角毎に３本設けられている。各縦リブ８は、その上端を弱化部９より下位に位置させており（図１、図２参照）、またその下端を本体部１の下端に位置させて（図１参照）いる。それゆえ、縦リブ８が弱化部９に位置することはなく、この弱化部９を構造的に補強することはない。
【００３１】
この縦リブ８は、アンプル容器成形用の有底筒状のプリフォームｐ（図１の二点鎖線図示参照）の内周面に付形された縦リブ条８ａで成形される。この縦リブ条８ａは、プリフォームｐの弱化部９より下位から下端である底部にかけて設けられて、プリフォームｐの離型方向に沿って位置することになるので、この縦リブ条８ａがプリフォームｐの成形金型からの離型に邪魔となることがなく、プリフォームｐを射出成形金型から円滑にかつ良好に離型させることができる。
【００３２】
この縦リブ８は、図３および図４に示すように、等中心角毎に配置された３本または４本とするのが有効である。例えば、縦リブ８を等中心角毎に２本設けた場合には、内周面部分７の分割程度が小さく（内周面部分７の平滑面域が大きくなる）なり、縦リブ８による残留内容液ｎに対する、表面張力を均等に働かせることを阻害する作用が、十分ではないと云う不満が生じる恐れがある。反対に、縦リブ８を等中心角毎に５本以上設けた場合には、縦リブ８の本数が増えた分、構造が複雑となると共に、本体部１の内周面の凹凸が多くなるので、上記したように縦リブ８の本数は３〜４がより望ましいことになる。しかしながら、この縦リブ８の本数の設定は、頭部６の内径寸法の大きさに従うのが良く、その本数を限定するものではない。
【００３３】
以上、実施形態例に沿って本発明の構成とその作用効果について説明したが、本発明の実施の形態は上記実施形態例に限定されるものではなく、例えば、プリフォームｐの縦リブ条８ａは、プリフォームｐの底部まで延びる構造で成形される構成に特定されることはなく、プリフォームｐの形状が、首部４に成形される部分に対して、肩部３および胴部２に成形される部分の内径が小さい寸法となっている場合には、縦リブ条８ａの下端を肩部３に成形される部分に位置させる構成とすることも可能である。
【産業上の利用可能性】
【００３４】
本発明の合成樹脂製アンプル容器は、頭部内に残留内容液を生じさせないので、安全にかつ清潔に使用することができると共に、内容液の収容量を正確に維持することができるので、アンプル容器として広い分野での適用が可能とすることができる。
【符号の説明】
【００３５】
１  ；本体部
２  ；胴部
３  ；肩部
４  ；首部
５  ；口鍔部
６  ；頭部
７  ；内周面部分
８  ；縦リブ
８ａ；縦リブ条
９  ；弱化部
Ｎ  ；内容液
ｎ  ；残留内容液
ｎ１；下端液面
ｐ  ；プリフォーム
【図１】
0005904441.tif 000002
【図２】
0005904441.tif 000003
【図３】
0005904441.tif 000004
【図４】
0005904441.tif 000005
【図５】
0005904441.tif 000006